(57)【要約】【課題】  従来の理美容用椅子にあっては、低身長者の施術を行なうための低身長者の座高を高くする手段としては、他所に収納されている座面を嵩上げするためのクッションシートを座面に置いたり、あるいは、理美容椅子の手摺りにクッションシートを吊り下げる等により行なっていた。しかし、前記クッション材は低身長者の座高を高くするためのものであるため、クッション材の出し入れが面倒であると共に常に特定の場所に保管管理しなければならないといった問題があった。【解決手段】  理美容用椅子を構成する背凭れ１５あるいはレッグレスト１２に補助クッション１６を脱着自在に取付け、低身長者の理美容施術を行う場合には前記補助クッションを取外して座面１１に載置することで座面を嵩上げすることを可能とした理美容用椅子である。【選択図】        図２
2014200419.tif 000002
【特許請求の範囲】
【請求項１】
理美容用椅子を構成する背凭れあるいはレッグレストに補助クッションを脱着自在に取付け、低身長者の理美容施術を行う場合には前記補助クッションを取外して座面に載置することで座面を嵩上げしたことを特徴とする理美容用椅子。
【請求項２】
前記補助クッションにシートを取付け、該シートと固定背凭れあるいは座面を接合するための面ファスナー等の接合手段を取付け、前記シートの接合手段と固定背凭れの接合手段とを接続することで前記補助クッションが背凭れフレーム内から脱落するのを防止し、また、前記シートの接合手段と座面の接合手段とを接続することで前記補助クッションが前記レッグレストより脱落するのを防止したことを特徴とする請求項１記載の理美容用椅子。
【請求項３】
前記座面の前方に前記接合手段を取付け、前記補助クッションを座面に載置した状態で前記シートの先端に取付け接合手段と接合して座面の前方部分を覆って座面の汚れや損傷を防止したことを特徴とする請求項２記載の理美容用椅子。
【発明の詳細な説明】
【技術分野】
【０００１】
本発明は、低身長者が理美容椅子に着座する際に、前記理美容椅子を構成する部材であるクッション材を座面に置いて座面高さ調節して、着座した低身長者の頭部高さを高くして毛髪カット等の施術を行ない易くした理美容用椅子に関する。
【背景技術】
【０００２】
従来において低身長者の施術を行なうための低身長者の座高を高くする手段としては、他所に収納されている座面を嵩上げするためのクッションシートを座面に置いたり、あるいは、理美容椅子の手摺りにクッションシートを吊り下げる等により行なっていた。しかし、前記クッション材は低身長者の座高を高くするためのものであるため、クッション材を特定の場所に保管しておき、使用の都度出し入れを行わなければならず面倒であるといった問題があった。
【０００３】
ところで、本発明の理美容用椅子とは異なる分野の車用椅子において、背凭れの中央部に凹部を形成し、この凹部に着座部側に回動可能な子供用の中央部（シートベルトを備えたクッション材）を取付けた発明（特開平6-１９１３３５号公報）がある。
【先行技術文献】
【特許文献】
【０００４】
【特許文献１】特開平６−１９１３３５号公報
【発明の概要】
【発明が解決しようとする課題】
【０００５】
この先行技術文献の発明は、低身長の子供を着座させる場合には、背凭れの凹部に嵌め込まれているクッション材を座部側に回動し、この回動したクッション材に子供を着座させるものである。このような構造であることから低身長者が前記クッション材に着座した時に、前記背凭れの凹部に低身長者の背中が嵌まり込み窮屈な姿勢となり、また、クッション材を座部側に回動した位置は常に一定位置となるので自由度が少ないといった問題がある。
【０００６】
本発明は前記した問題点を解決せんとするもので、その目的とするところは、理美容用椅子における背凭れやレッグレストの一部のクッション性を有する補助クッションを取外し、該補助クッションを座面に載せて低身長者を着座させることで座高が高くなって、着座した低身長者の頭髪カット等の理美容施術を行う時に背凭れが邪魔になることがなく、また、前記補助クッションにレザーシート等のシートの一端を取付け、補助クッションを座面に載置した状態でシートを座面の先端側に配置することで被施術者が座面の汚れを防止できる理美容用椅子を提供せんとするにある。
【課題を解決するための手段】
【０００７】
本発明の理美容用椅子は、前記した目的を達成せんとするもので、請求項１の手段は、理美容用椅子を構成する背凭れあるいはレッグレストに補助クッションを脱着自在に取付け、低身長者の理美容施術を行う場合には前記補助クッションを取外して座面に載置することで座面を嵩上げしたことを特徴とする。
【０００８】
請求項２の手段は、前記した請求項１において、前記補助クッションにシートを取付け、該シートと固定背凭れあるいは座面を接合するための面ファスナー等の接合手段を取付け、前記シートの接合手段と固定背凭れの接合手段とを接続することで前記補助クッションが背凭れフレーム内から脱落するのを防止し、また、前記シートの接合手段と座面の接合手段とを接合することで前記補助クッションが前記レッグレストより脱落するのを防止したことを特徴とする。
【０００９】
請求項３の手段は、前記した請求項２において、前記座面の前方に前記接合手段を取付け、前記補助クッションを座面に載置した状態で前記シートの先端に取付け接合手段と接合して座面の前方部分を覆って座面の汚れや損傷を防止したことを特徴とする。
【発明の効果】
【００１０】
本発明は前記したように、背凭れあるいはレッグレストに補助クッションを脱着自在に取付け、低身長者の理美容施術を行う場合には前記補助クッションを取外して座面に載置することで座面を嵩上げしたことにより、低身長者の理美容施術を行う場合でも施術者による施術を容易に行うことが可能となり、かつ、従来のような補助クッションの出し入れが面倒であると共に常に特定の場所に保管管理しなければならないといった面倒を解決できる。
【００１１】
また、シートの接合手段と固定背凭れの接合手段とを接続することで前記補助クッションが背凭れフレーム内から脱落するのを防止し、また、前記シートの接合手段と座面の接合手段とを接続することで前記補助クッションが前記レッグレストより脱落するのを防止できることから、通常使用時において補助クッションが理美容用椅子から脱落することがないので、安心して使用することができる。
【００１２】
さらに、座面の前方に前記接合手段を取付け、前記補助クッションを座面に載置した状態で前記シートの先端に取付け接合手段と接合して座面の前方部分を覆ったので、低身長者（子供）が補助クッションに着座する時に靴のままで座面を移動しても座面が汚れたり損傷するのを防止できる等の効果を有するものである。
【図面の簡単な説明】
【００１３】
【図１】補助クッションが背凭れの一部である場合の第１実施例の側面図である。
【図２】図１の背凭れの下部より補助クッションを座面に載置した状態の斜視図である。
【図３】図２の斜視図である。
【図４】図３の背面図である。
【図５】補助クッションに一端が逢着したシートを座面の前方を覆った状態の斜視図である。
【図６】補助クッションをレッグレストに脱着自在に取付けた第２実施例の斜視図である。
【図７】図６の背面図である。
【発明を実施するための形態】
【００１４】
以下、本発明に係る理美容用椅子１の第１実施例を図１〜図５と共に説明する。なお、図２〜図５には昇降装置の記載を省略している。
１は昇降装置にして、リンク２２を施術者が踏み込むことで油圧シリンダー２２のピストン２２ａが上昇して理美容用椅子１の座面１１を押し上げる。
【００１５】
前記理美容用椅子１の前記座面１１の前方（図１において左側）には、金属管をＵ字上に形成したレッグレスト１２が座面１１の裏面から延長して取付けられている。また、座面１１の後方（図１において右側）の左右から上方に向かって一対の背凭れクッション材を取付けるための背凭れフレーム１３が座面１１の裏面から延長されている。なお、１４は一端が座面１１の側面前方に取付けられ、他端が前記背凭れフレーム１３に取付けられた被施術者が肘を載せる手摺りである。
【００１６】
前記背凭れフレーム１３の上方には座面１１に着座する被施術者における背中の上部を支持するクッション材である固定背凭れ１５が取付けられている。該固定背凭れ１５の下方には前記背凭れフレーム１３の底面部１３ａと背面部１３ｂおよび座面１１の後方との空間に取り出し可能な補助クッション１６が収納さている。
【００１７】
前記補助クッション１６の長手方向の一辺にはレザーシート等のシート１７が取付けられ、該シート１７の先端側には面ファスナーが取付けられている。また、固定背凭れ１５の下方における長手方向、および座面１１の先端側の長手方向には前記シート１７の面ファスナーと接着される面ファスナー１５ａ，１１ａが取付けられている（図５参照）。
【００１８】
このように構成した本発明の理美容用椅子にあっては、標準的な身長の被施術者が座面１１に着座する場合には、補助クッション１６を図１に示すように固定背凭れ１５の下方にセットする。このセット状態においてシート１７の面ファスナーを固定背凭れ１５の面ファスナー１５ａに接着することで、背凭れフレームから脱落するのを防止している。なお、標準的な身長の被施術者の理美容施術、例えば頭髪のカットを行う施術において被施術者の首より上側が固定背凭れ１５より上方に位置するので、理美容施術を行うことができる。
【００１９】
一方、低身長者の理美容施術を行う場合には、図１の標準的な身長の被施術者の理美容施術位置で座面１１に着座しても施術が行うことはできない。そこで、シート１７の面ファスナーと固定背凭れ１５の面ファスナー１５ａとの接着を外すことなく補助クッション１６を引き上げ、該引き上げた補助クッション１６を座面１１の所望位置に載置する。すなわち、載置された補助クッション１６に着座した状態で被施術者の背中が固定背凭れ１５に安楽な姿勢で維持できる位置の座面１１に載置する。
【００２０】
補助クッション１６の位置が決定された状態において、該補助クッション１６に取付けられているシート１７の面ファスナーを座面１１の先端側に取付けられている面ファスナー１１ａに接着する。
【００２１】
このように、安楽な姿勢を維持できる位置の補助クッション１６の上に着座することで低身長の被施術者であっても、座高が高い位置となるので無理なく理美容施術を受けることが可能となる。また、シート１７が補助クッション１６より前方の座面１１を覆っているので、着座者が補助クッション１６の上に靴を履いたままで着座しても座面１１の汚れや損傷を防止できる。
【００２２】
次に、第２の実施例を図６、図７と共に説明する。なお、第１の実施例と同一符号は同一部材を示すので説明は省略する。また、この実施例における補助クッション１６は固定背凭れ１５と同様に背凭れフレーム１３に固定されている。
【００２３】
この実施例では、補助クッション３をレッグレスト１２に脱着自在に取付けたものである。そして、補助クッション３にはシート１７が巻付けられており、該シート１７の先端に取付けられている面ファスナーと座面１１の面ファスナー１１ａとを接着することでレッグレスト１２より落下しないように構成されている。
【００２４】
なお、補助クッション３とレッグレスト１２との脱着を防止する手段としては、レッグレスト１２の縦杆１２に対して２本の横杆１２ｂを取付け、該２本の横杆１２ｂに補助クッション３に前記シート１７を巻き付けると共に，該巻き付けたシート１７に予めゴムマグネット等のマグネットを取付けておくことで、このマグネットの磁力によって横杆１２ｂにシート１７は固定され、またシート１７に取付けられている面ファスナーを座面１１の面ファスナー１１ａに接着することで安定した状態で補助クッション３をレッグレスト１２に固定することができる。
【００２５】
また、低身長者の理美容施術を行う場合には、レッグレスト１２から補助クッション３を取外して座面１１の適宜位置に載置すると共に、シート１７の面ファスナーを座面１１の面ファスナー１１ａと接着することで、第１の実施例と同様に座面１１の汚れや損傷を防止できる。
【００２６】
なお、前記した実施例において、シート１７を座面１１やレッグレスト１２に取付ける手段として面ファスナーを利用した場合について説明したが、ボタンやファスナー等の連結手段を利用することができる。
【符号の説明】
【００２７】
１          理美容用椅子
１１        座面
１１ａ      面ファスナー
１２        レッグレスト
１３        背凭れフレーム
１４        手摺り
１５        固定背凭れ
１５ａ      接合手段（面ファスナー）
３，１６    補助クッション
１７        シート
【図１】
2014200419.tif 000003
【図２】
2014200419.tif 000004
【図３】
2014200419.tif 000005
【図４】
2014200419.tif 000006
【図５】
2014200419.tif 000007
【図６】
2014200419.tif 000008
【図７】
2014200419.tif 000009